(57)【特許請求の範囲】
【請求項１】
測定台に略垂直なケースを設け、そのケースの両側に手用電極を備えたハンドルを接続した体成分分析装置において、ケースに、ハンドルを自在継手を介して連結したことを特徴とする調節可能なハンドルを備えた体成分分析装置。
【請求項２】
自在継手は、ケースに対してハンドルを上下方向回動自在に、かつ水平方向回動自在に連結し、かつハンドルを、その任意の回動位置で保持できるように構成される請求項１記載の調節可能なハンドルを備えた体成分分析装置。
【請求項３】
ハンドルは、自在継手に接続されるパイプと、そのパイプの先端に設けられた被測定者が握るグリップ部と、そのグリップ部に設けられた二つの手用電極とからなる請求項２記載の調節可能なハンドルを備えた体成分分析装置。
【請求項４】
グリップ部は、パイプに回転可能に設けられる請求項３記載の調節可能なハンドルを備えた体成分分析装置。
【請求項５】
自在継手は、ケースの側面から水平に突出し、水平軸周りに回転可能に設けられた第１回転部と、ハンドルを支持し、前記第１回転部の軸に対して直交する方向に回転自在な第２回転部とからなる請求項３に記載の調節可能なハンドルを備えた体成分分析装置。
【請求項６】
ケースに対して第１回転部は、その任意の回動位置で停止可能に設けられると共に第２回転部は、第１回転部に、その任意の回動位置で停止可能に設けられ、これによりハンドルが任意の回動位置で停止状態に保持される請求項５記載の調節可能なハンドルを備えた体成分分析装置。
【請求項７】
測定台には、足用電極が設けられる請求項６記載の調節可能なハンドルを備えた体成分分析装置。
【請求項８】
ケース或いは測定台には、生体各部のインピーダンスを測定するための分析装置が設けられ、他方、ハンドルに設けられた手用電極には、リード線に接続され、そのリード線がハンドルのパイプと自在継手を通じて前記分析装置に連結される請求項７記載の調節可能なハンドルを備えた体成分分析装置。
【発明の詳細な説明】
【０００１】
【発明の属する技術分野】
本発明はハンドル調節の可能な体成分分析装置に係り、より詳しくは上下、左右及び回転可能な三つの自由度を持つハンドルを備えた体成分分析装置に関する。
【０００２】
【従来の技術】
体成分分析装置とは身体の手−足間に電流を流すと共に電圧をかけ、身体の各部位の生体インピーダンスを測定することにより、身体の構成成分を分析する装置である。
【０００３】
一般的にこのような機器は身体の電気伝導度が高いほど、即ち身体インピーダンスが低いほど水分及び筋肉の割合が高いという原理に基づいており、近頃では肥満と関連した体脂肪測定等を行うことにその関心がもたれている。
【０００４】
体脂肪測定の結果としての体成分分析装置の正確度は、身体のインピーダンスを正確に測定することに直接依存しており、インピーダンスの正確な測定には被測定者の姿勢が重要な影響を及ぼす。
【０００５】
即ち、このような装置は被測定者の身長差等の身体的条件に関係なく、被測定者が、常時一定の姿勢で測定できるように設計するのが、正確度の向上に重要な鍵である。
【０００６】
従来の体成分分析装置を図４により説明する。被測定者が載る台１３０には、足用電極１３１，１３２が設けられる。台１３０から垂直に延びたケース１３３の両側には、ハンドル１３４が固定され、そのハンドル１３４に、手用電極１３５，１３６が設けられる。ケース１３３内には、生体各部のインピーダンスを測定するための分析装置１３７が設けられ、ケース１３３の上部に、体重や体脂肪重量等を表示する表示板１３８が設けられる。
【０００７】
各電極１３１，１３２、１３５，１３５は分析装置１３７に接続され、これら電極１３１，１３２、１３５，１３６をスイッチ回路（図示せず）にて切り換えて、生体に交流電流を流すと共に電圧を印加して生体各部のインピーダンスを測定する。
【０００８】
この体成分分析装置を考察してみると、図３のように両手で握るハンドル１３４が装置ケース１３３に固定されており、前記ハンドル１３４には二つの電極１３５，１３６がそれぞれ具備されることにより、被測定者が直立状態で前記ハンドル１３４の電極１３５，１３６を両手で握られるようになっている。
【０００９】
しかし、このようなハンドルの形態は、被測定者の個々人の身長によってハンドルを握る高さが変わり、これにより被測定者の姿勢が変わるので、測定するインピーダンス値に影響を及ぼすことになる。
【００１０】
従って、ハンドルの高さや幅を一定にしたハンドル形態で、被測定者の正確なインピーダンスの測定を行うことはできないため、被測定者の体成分分析においてはあまり好ましくないハンドル形態である。
【００１１】
図３（ａ）は、図４による問題点を解決するために発明された特許第３２９２３７３号（発明の名称；生体電気インピーダンス分析に基づく新しい電極システムを用いた人体成分分析装置）の体成分分析装置の斜視図であり、電極付きハンドル１４０と分析装置１３７をライン１４２で連結し、前記ハンドル１４０を握つた状態で被測定者に気を付け姿勢をさせる。
【００１２】
このような形態のハンドル１４０は被測定者の身長条件に関係なく、被測定者に一定の気を付け姿勢を保たせることができるので、被測定者の姿勢が、身長に関わらず一定となるため、図４で説明した体成分分析装置のハンドルによる姿勢変化の問題点を解決することができ、生体各部のインピーダンス測定がより正確に行えることができる。
【００１３】
【発明が解決しようとする課題】
しかしながら、このようなハンドル方式の場合、ハンドル１４０は、図３（ｂ）に示すようにハンドル１４０をケース１３３の側部に設けた留め具１４３にハンドル１４０のフック部１４４が掛け止められた状態から、図３（ｃ）に示すように被測定者がハンドル１４０を外し、測定終了後には再度ハンドル１４０をフック部１４４に掛け止めなければならない。
【００１４】
従って、被測定者が、ハンドル１４０を取る過程及び、測定後、ハンドル１４０を元の状態に復元する過程が不便であり、ハンドル１４０を落とすことによる破損をもたらすという問題点があった。
【００１５】
従つて、本発明者は図４の体成分分析装置において、身長差がインピーダンス測定に影響を及ぼす問題点を解決し、同時にハンドルの使用が簡便で、図３の体成分分析装置のように破損の危険がない、調節可能な新規のハンドルを備えた体成分分析装置を開発することになった。
【００１６】
本発明の目的は、被測定者の身長がインピーダンス測定に影響を及ぼさない体成分分析装置を提供することにある。
【００１７】
本発明の他の目的は、被測定者のハンドル使用が便利な体脂肪分析装置を提供することにある。
【００１８】
本発明の更に他の目的は、ハンドルを落すことによる破損の危険がない体脂肪分析装置を提供することにある。
【００１９】
本発明の更に他の目的は、上下、左右及び回転可能なハンドルを備える体脂肪分析装置を提供することにある。
【００２０】
本発明の前記及びその他の目的は以下に説明する本発明によって達成することができる。
【００２１】
【課題を解決するための手段】
本発明に係る調節可能なハンドルを備えた体成分分析装置は、測定台に略垂直なケースを設け、そのケースの両側に手用電極を備えたハンドルを接続した体成分分析装置において、ケースに、ハンドルを自在継手を介して連結したことにある。
【００２２】
自在継手は、ケースに対してハンドルを上下方向回動自在に、かつ水平方向回動自在に連結し、かつハンドルを、その任意の回動位置で保持できるように構成される。
【００２３】
ハンドルは、自在継手に接続されるパイプと、そのパイプの先端に設けられた被測定者が握るグリップ部と、そのグリップ部に設けられた二つの手用電極とからなり、グリップ部は、パイプに回転可能に設けられるようにしてもよい。
【００２４】
自在継手は、ケースの側面から水平に突出し、水平軸周りに回転可能に設けられた第１回転部と、ハンドルを支持し、前記第１回転部の軸に対して直交する方向に回転自在な第２回転部とからなる。
【００２５】
ケースに対して第１回転部は、その任意の回動位置で停止可能に設けられると共に第２回転部は、第１回転部に、その任意の回動位置で停止可能に設けられ、これによりハンドルが任意の回動位置で停止状態に保持される。
【００２６】
測定台には、足用電極が設けられ、ケース或いは測定台には、生体各部のインピーダンスを測定するための分析装置が設けられ、他方、ハンドルに設けられた手用電極には、リード線に接続され、そのリード線がハンドルのパイプと自在継手を通じて前記分析装置に連結される。
【００２７】
分析装置は、前記手用足用の複数個の電極のうちいずれか二つの電極間に電流を印加する電流発生器と、前記複数個の電極のうちいずれか二つの電極間の電圧を測定する電圧測定器と、前記電流及び電圧を用いてインピーダンスを計算するプロセッサとを含んおり、測定結果を表示部で表示できるように構成される。
【００２８】
【発明の実施の形態】
図１は本発明に係る調節可能なハンドルを備えた体成分分析装置の概略斜視図である。
【００２９】
図１（ａ）において、測定台２０には、左足用電極２１，２２と右足用電極２４，２５が設けられる。また図には示していないが足用電極２１、２２，２３，２４に被測定者が載ったときに被測定者の体重を検出するロードセルが設けられている。
【００３０】
測定台２０には、その測定台２０の前端から略垂直に起立してケース１０が設けられ、そのケース１０の上端に、測定結果としての体脂肪重量や体重を表示する表示計１２が設けられると共に、身長、性別、年齢などを入力する操作盤１４が設けられている。
【００３１】
また、ケース１０内（或いは測定台２０内）には、詳細は図示していないが電流発生器と電圧測定器と前記電流及び電圧を用いてインピーダンスを計算するプロセッサからなる分析装置１３が設けられる。
【００３２】
さて、本発明に係る体成分分析装置は、従来の体成分分析装置の基本的な要素を備えながら、ケース１０の両側に上下及び左右への回転自在なハンドル３０，３０が設けられる。このハンドル３０，３０は、自在継手４５，４５を介してケース１０の両側に連結され、自在継手４５，４５にて、水平軸周りに図示の矢印Ｖ方向に略３６０°回動できると共に、垂直軸周りに図示の矢印Ｈ方向に略９０°回動可能に設けられる。
【００３３】
ハンドル３０,３０は、被測定者が手で握るグリップ部３６，３６とそのグリップ部３６，３６と自在継手４５、４５を連結するパイプ３５，３５からなり、グリップ部３６，３６が、パイプ３５，３５に対して、図示の矢印Ｔで示すようにパイプ３５，３５を中心に略３６０°回転できるようになっている。
【００３４】
左用グリップ部３６は、親指と接触する手用電極３１と手のひらと接触する手用電極３２を備え、右用グリップ部３６も親指と接触する手用電極３３と手のひらと接触する手用電極３４とを備えている。
【００３５】
図１（ｂ）は、図１（ａ）に丸４０で囲った自在継手４５の部分の拡大図を示したものである。
【００３６】
図１（ｂ）に示すように、自在継手４５，４５は、ケース１０の側面から水平に突出し、水平軸周りに矢印Ｖ方向に回転可能に設けられた回転筒４２を有する第１回転部４３と、ハンドル３０のパイプ３５を支持し、第１回転部４３の軸に対して直交する方向に回転自在な第２回転部４１とからなる。また、第１回転部４３は、ケース１０に対して、任意の回動位置で、その回動停止状態を保てるように設けられると共に第２回転部４１も、第１回転部４３に、その任意の回動位置で停止状態を保てるように設けられ、これによりハンドル３０が任意の回動位置で停止状態に保持される。
【００３７】
左右のハンドル３０，３０の手用電極３１，３２，３３、３４には、後述するがリード線３８（図２）が接続され、パイプ３５と自在継手４５を通して分析装置１３に接続される。
【００３８】
図２は、自在継手４５の詳細を示したものである。
【００３９】
ケース１０の側板１０ａには、穴１４が形成され、その穴１４に自在継手４５を支持するためのフランジ部材４９が装着される。フランジ部材４９は、穴１４に挿通するガイド筒４９ｂを有すると共にそのガイド筒４９ｂに連続して凹部４９ｃを有し、その凹部４９ｃより径方向外方にキノコ状のつば部４９ａが形成されて構成される。
【００４０】
自在継手４５は、上述したように回転筒４２を有する第１回転部４３と第１回転部４３の軸に対して直交する方向に回転自在な第２回転部４１とからなる。
【００４１】
第１回転部４３は、ガイド筒４９ｂに挿入される回転筒４２を有すると共にその回転筒４２の後端に形成されたフランジ部４２ｂを有し、さらにフランジ部４２ｂの上部から後方に延びてカバー部４３ａが形成され、そのカバー部４３ａに垂直下方に延びた軸筒４３ｃが形成されて構成される。
【００４２】
第２回転部４１は、第１回転部４３の軸筒４３ｃに嵌合するリング体４１ａからなり、そのリング体４１ａにハンドル３０のパイプ３５が連結される。
【００４３】
回転筒４２には、その軸方向にスリット４２ａが形成され、これにより回転筒４２が若干縮径できるようにされ、縮径した状態で、ガイド筒４９ｂに挿入することで、ガイド筒４９ｂ内で回転できると共に摩擦力で任意の回転位置で停止できるようになっている。
【００４４】
また回転筒４２の先端には、挿入後、ガイド筒４９ｂから抜け出さないようにガイド筒４９の端面に係合する爪４２ｂが形成される。これによりガイド筒４９ｂに第１回転部４３の回転筒４２を挿入し、フランジ部４２ｂが、凹部４９ｃに当接することで、第１回転部４３の軸方向への移動を規制している。
【００４５】
軸筒４３ｃには、その軸方向にスリット４３ｄが形成され、これにより軸筒４３ｃが若干縮径できるようにされ、縮径した状態で、リング体４１ａを嵌合することで、第２回転部４１が回転できると共に摩擦力で任意の回転位置で停止できるようになっている。
【００４６】
さらに、軸筒４３ｃの先端には、爪４３ｅが形成され、第２回転部４１を嵌合したときその爪４３ｅにて抜け出さないようにされると共に、カバー部４３ａには、軸筒４３ｃを包囲するようにストッパー筒４３ｆが形成され、軸筒４３ｃに第２回転部４１を嵌合したときに、ストッパー筒４３ｆの下端が第２回転部４１に当接することで、第２回転部４１は、ストッパー筒４３ｆと爪４３ｅ間に挟まれて軸方向の移動が規制されるようになっている。
【００４７】
この自在継手４５は、手用電極３１，３２，３３、３４に接続したリード線３８が挿通できるようになっている。
【００４８】
すなわち、リード線３８は、図示の２点鎖線で示すように、パイプ３５内を通り、第２回転部４１ａ内を通って軸筒４３ｃに入り、スリット４３ｄよりが軸筒４３ｃの外周に延出され、軸筒４３ｃの外周を１巻きされたのち、ストッパー筒４３ｆに適宜形成された穴（図示せず）を通って、回転筒４２内を通り、さらにケース１０内に導入されて分析装置１３（図１）に接続される。
【００４９】
このリード線３８は、軸筒４３ｃで適宜１巻き緩く巻かれることで、ハンドル４５を上下方向と左右方向に回動したときのリード線３６の追従性を良好にすることができるようになっている。
【００５０】
次に、本発明の作用を説明する。
【００５１】
先ず、グリップ部３６は、パイプ３５とをそれぞれ連結しており、パイプ３５を中心に３６０°回転可能となっていると共に自在継手４５により、被測定者の身長に応じて適宜最適な位置に回動させ位置させることができる。
【００５２】
これにより、被測定者が前記ハンドルに装着された複数個の電極３１，３２，３３，３４を握る時、楽な状態を保てるようにする。
【００５３】
前記ハンドル３０，３０のグリップ部３６をパイプ３５を中心に回転可能に設置するのは、本発明の分野で通常の技術を有する者によって容易に実施できる。グリップ部３６の電極３１，３２，３３，３４と接続するリード線３８は、パイプ３５を通し、自在継手４５を通し、ケース１０内を通し、同時にケース１０内の電子回路部からなる分析装置１３に電気的に連結されており、被測定者が測定台２０上の電極２１，２２，２３，２４上に乗ることで、その被測定者の身長に関わらず一定の姿勢を保った状態で体重と生体の各部のインピーダンスを測定して体脂肪重量を測定することができる。
【００５４】
この場合、ハンドル３０，３０は、任意の位置に回動できると共にその回動位置で停止状態に保持できるため、従来のように測定の過程で、ハンドル３０，３０を落としたりするなどの不具合を解消でき、しかも簡単に正しい姿勢で測定をすることが可能となる。
【００５５】
このように、本発明に係る体成分分析装置は、自在継手４５と、パイプ３５に対してグリップ部３６を回転自在にすることによって上下、左右及び回転という三つの自由度を有するようにするハンドル３０，３０とすることができるため、インピーダンスの測定が正確になり、体脂肪の測定の正確性を向上することができる。
【００５６】
本発明に係る体成分分析装置は、足用電極２１，２２，２３，２４，２５に足裏を接触させると共にグリップ部３６の手用電極３１，３２，３３，３４を握り、前記複数個の電極のうちいずれか二つの電極間に電流を印加し、前記複数個の電極のうちいずれか二つの電極間の電圧を測定することにより、前記電流及び電圧を用いてインピーダンスを計算する方式の体成分分析装置に適用される。
【００５７】
なお、実施の形態では、八つの電極の例で説明したが、測定台２０の電極２１，２２,２３，２４，２５を省略し、 手−手間のインピーダンスを測定して体脂肪を測定するようにしてもよい。
【００５８】
尚、前記八つの電極のうちいずれか二つの電極間に電流を流し、また、いずれか二つの電極間の電圧を測定することにより、身体の様々な部位のインピーダンス測定を実現する。
【００５９】
【発明の効果】
本発明は、被測定者の身長差がインピーダンス測定に影響を及ぼさず、更に落とすことによる破損の危険がなく、上下、左右及び回転可能なハンドルを備えた体脂肪分析装置を提供する効果がある。
【００６０】
本発明の単純な変形及び変更が可能なのは当該分野で通常の知識を有する者には明らかなことであり、このような変形及び変更は本発明の領域に含まれるものである。
【図面の簡単な説明】
【図１】本発明に係る調節可能なハンドルを備えた体成分分析装置の一実施の形態を示す図である。
【図２】図１における自在継手の詳細を示す断面図である。
【図３】先願の体成分分析装置の概略斜視図である。
【図４】従来の体成分分析装置の概略斜視図である。
【符号の説明】
１０  ケース
２０  測定台
２１，２２，２３，２４  足用電極
３０，３０  ハンドル
３１，３２，３３，３４  手用電極
３５  パイプ
４５  自在継手
【図１】
0003692335.tif 000002
【図２】
0003692335.tif 000003
【図３】
0003692335.tif 000004
【図４】
0003692335.tif 000005